(57)【要約】      （修正有）【課題】製造時間及びコストを低下させるパルプ成形容器構造の成形装置を提供する。【解決手段】成形装置は、第１容器成形金型２２及び第２容器成形金型２０を備える。第１容器成形金型２２は、中央成形部２２０１及び周縁成形部２２０２を備える第１成形ユニット２２０を有して、中央成形部２２０１及び周縁成形部２２０２は、それぞれパルプ成形容器構造の中央部の内輪郭の成形、及びパルプ成形容器構造の周縁部内輪郭の成形に適用される。更に、第１容器成形金型２２は、スナップフィット成形部２２０３を含み、スナップフィット成形部２２０３は、周縁部の成形用の周縁成形部２２０２に設置されており、且つ中央部から遠く離れている一つ側で、且つパルプ成形容器構造のスナップフィット部の成形に適用され、第２容器成形金型２０は第２成形ユニット２００を含み、一つ側で設置され且つパルプ成形容器構造の外輪郭の成形に適用される。【選択図】図５
0003224743.tif 000002
【実用新案登録請求の範囲】
【請求項１】
パルプ成形容器構造の製造用の、パルプ成形容器構造の成形装置であって、前記成形装置は、
前記パルプ成形容器構造の全内部輪郭の成形に適用される第１成形ユニットを含む第１容器成形金型と、
前記パルプ成形容器構造の全外部輪郭の成形に適用される第２成形ユニットを含む第２容器成形金型と、
を備え、
前記第１成形ユニットは、前記パルプ成形容器構造の中央部の成形に適用する中央成形部と、前記パルプ成形容器構造の周縁部の成形に適用する周縁成形部とを含み、前記周縁成形部は、外辺縁や前記中央成形部に遠く離れる一つ側で位置する環状スナップフィット成形部品を含み、前記周縁成形部は前記パルプ成形容器構造のスナップフィット部の成形に適用するものであって、
前記第２容器成形金型と前記第１容器成形金型との間に０.５ｍｍないし１.２ｍｍという厚さで前記パルプ成形容器構造を成形するように、前記第２成形ユニットは、駆動されて前記第１容器成形金型に入れ込む、
ことを特徴とするパルプ成形容器構造の成形装置。
【請求項２】
前記第１成形ユニットは、前記第１成形ユニットを貫通する複数の細孔チャンネルを含み、前記細孔チャンネルのそれぞれは、前記パルプ成形容器構造の成形の際に、パルプスラリーにおける過剰な水を排水する、あるいはパルプ成形プロセスでの圧力を制御するための吸引を生じること、を特徴とする、
請求項１に記載のパルプ成形容器構造の成形装置。
【請求項３】
前記第２成形ユニットは、前記第２成形ユニットを貫通する複数の細孔チャンネルを含み、前記細孔チャンネルのそれぞれは、前記パルプ成形容器構造の成形の際に、圧力を制御すること、或いは吸引されていて且つ前記第１容器成形金型と離間している前記パルプ成形容器構造によって吸引を生じることに用いられること、を特徴とする、
請求項１に記載のパルプ成形容器構造の成形装置。
【請求項４】
前記第１容器成形金型には、前記第１成形ユニットに接着され且つ第１容器パルプ吸引と成形金型の組み立て用の紙パルプに浸入された濾過器が設けられて、
前記濾過器は、複数の細かいメッシュを含み、前記細かいメッシュは紙パルプをろ過して、すると、パルプ繊維が残されるが、紙パルプが前記第１容器パルプ吸引と成形金型に沈降して、前記第１成形ユニットの上方を覆うこととなって、こうすると前記紙パルプが、第２容器パルプ吸引と成形金型における前記第２成形ユニットで前記パルプ成形容器構造の成形のために、前記第２容器成形金型に適用される、ことを特徴とする、
請求項１に記載のパルプ成形容器構造の成形装置。
【請求項５】
紙パルプを加熱して乾燥し、且つ前記パルプ成形容器構造を成形するために、前記第２容器成形金型は熱伝導性材料で製造され、且つ
前記紙パルプを加熱して乾燥し、且つ前記パルプ成形容器構造を成形するために、前記第１容器成形金型は熱伝導性材料で製造される、ことを特徴とする、
請求項１に記載のパルプ成形容器構造の成形装置。
【請求項６】
パルプ成形容器構造の製造用の、パルプ成形容器構造の成形装置であって、前記成形装置は、
前記パルプ成形容器構造の全外部輪郭の成形に適用される第１成形ユニットを含む第１容器成形金型と、
前記パルプ成形容器構造の全内部輪郭の成形に適用される第２成形ユニットを含む第２容器成形金型と
を備え、
前記第２成形ユニットは、前記パルプ成形容器構造の中央部の成形に適用する中央成形部と、前記パルプ成形容器構造の周縁部の成形に適用する周縁成形部とを含み、且つ前記周縁成形部は、外辺縁と前記中央成形部と遠く離れた一つ側とに位置する環状スナップフィット成形部品を含み、前記周縁成形部は、前記パルプ成形容器構造のスナップフィット部の成形に適用するものであって、
前記第２容器成形金型と前記第１容器成形金型との間に保留された紙パルプで０.５ｍｍないし１.２ｍｍ 厚さで、前記パルプ成形容器構造を成形するように、前記第２容器成形金型と前記第１容器成形金型とを互いに結合すること、
を特徴とするパルプ成形容器構造の成形装置。
【請求項７】
前記第１成形ユニットは、前記第１成形ユニットを貫通する複数の細孔チャンネルを含み、且つ前記細孔チャンネルのそれぞれは、前記パルプ成形容器構造を成形する過程において、パルプスラリーにおける過剰な水を排水すること、或いはパルプ成形プロセスにおける圧力を制御することに用いられる吸引を生じること、を特徴とする、
請求項６に記載のパルプ成形容器構造の成形装置。
【請求項８】
前記第２成形ユニットは、前記第２成形ユニットを貫通する複数の細孔チャンネルを含み、且つ前記細孔チャンネルのそれぞれは、前記パルプ成形容器構造を成形する過程に圧力を制御することに、或いは吸引を生じることに用いられて、前記吸引で前記パルプ成形容器構造は吸引され且つ前記第１容器成形金型と離れていること、を特徴とする、
請求項６に記載のパルプ成形容器構造の成形装置。
【請求項９】
前記第１成形ユニットに接着され且つ第１容器パルプ吸引と成形金型の組み立て用の紙パルプに浸入された濾過器が設けられて、
前記濾過器は、複数の細かいメッシュを含み、前記細かいメッシュは紙パルプをろ過して、すると、パルプ繊維が残されるが、紙パルプが前記第１容器パルプ吸引と成形金型に沈降して、前記第１成形ユニットの上方を覆うこととなって、こうすると前記紙パルプが、第２容器パルプ吸引と成形金型における前記第２成形ユニットで前記パルプ成形容器構造の成形のために、前記第２容器成形金型に適用される、ことを特徴とする、
請求項１に記載のパルプ成形容器構造の成形装置。
【請求項１０】
前記紙パルプを加熱して乾燥し、且つ前記パルプ成形容器構造を成形するために、前記第２容器成形金型は熱伝導性材料で製造され、且つ
前記紙パルプを加熱して乾燥し、且つ前記パルプ成形容器構造を成形するために、前記第１容器成形金型は前記熱伝導性材料で製造される、ことを特徴とする、
請求項６に記載のパルプ成形容器構造の成形装置。
【請求項１１】
請求項１又は６に記載の前記成形装置によって製造されたパルプ成形容器構造であって、前記パルプ成形容器構造は、
中央における中央部と、前記中央部を囲んで側壁を有する環状周縁部と、スナップフィット部を含み、
前記スナップフィット部は、前記側壁の外側から延長して、小さな角度で内向き突き出して、且つ前記パルプ成形容器構造と一体成形して、且つ前記パルプ成形容器構造に結合した外部容器の周縁から延長している突起を当接して固定するために、紙パルプの物理的な弾力性に基づき拡大・縮小する、
ことを特徴とするパルプ成形容器構造。
【請求項１２】
前記周縁部は、前記パルプ成形容器構造に結合された前記外部容器の外壁を挟むことに用いられることを特徴とする、
請求項１１に記載のパルプ成形容器構造。
【請求項１３】
前記パルプ成形容器構造は、５％ないし５５％のフィラメントと４５％ ないし６５％のスパンとからなっていることを特徴とする、
請求項１１に記載のパルプ成形容器構造。
【請求項１４】
前記パルプ成形容器構造の密度は５００ｋｇ/ｍ３ないし７００ｋｇ/ｍ３の範囲内であることを特徴とする、
請求項１１に記載のパルプ成形容器構造。
【請求項１５】
前記パルプ成形容器構造の厚さは０.５ｍｍないし１.２ｍｍの範囲内であることを特徴とする、
請求項１１に記載のパルプ成形容器構造。
【考案の詳細な説明】
【技術分野】
【０００１】
本実施の形態は、パルプ成形容器構造、特にパルプ成形容器構造及びその成形装置に関して、そのうち、前記パルプ成形容器構造は、前記パルプ成形容器構造と一体成形して且つカップと連続したスナップフィット部を含む。
【背景技術】
【０００２】
紙カップ及び椀は、日常生活においてどこでも良く見えている使い捨て消耗品である。目下、製造原料のコストや様々な製品に対するニーズを深く考えているメーカーは、既にこのような使い捨て消耗品を製造するための多様の方法を開発した。
【０００３】
丈夫なテクスチャー又はスタイリング又はより厚い層で紙製品を製造するために、メーカーは、成形するように、紙パルプをある厚さまで沈降すべきである。しかしながら、より厚い紙パルプで製造され且つ従来の製造手順にて成形された一般的な、より薄い使い捨て紙カップ、又は椀では、沈降された紙パルプから頻繁に押し出されて且つ美しい外観又は構造的強度に悪い影響を及ぼす凸縁又は非規則的な表面シワが現れるのは、普通である。
【０００４】
更に、近頃、一定の厚さを有する紙製品に適用可能な、パルプ成形（パルプ金型成形方法としても知られている）に基づいた正確な製造手順は開発された。しかしながら、カップ容器と紙カップとの結合の確保に役立てる内部エンボス加工された図案又はバーブ状の図案は、一般的なパルプ成形カップ容器の周縁及び／又は前記スナップフィット部に位置して、且つ二次ローカルロール押出手順にて形成された容器に成形したのは、一番普通である。
【０００５】
この点について、欠陥又は外観損傷を引き起こす恐れがある再加工用の二次ロール押出手順にかかる時間コストは、製造中の容器にとって不可欠である。
【考案の概要】
【考案が解決しようとする課題】
【０００６】
従来の技術における前記問題点を解決するために、本実施形態は、製造時間及びコストを低下させるように一体パルプ成形容器構造を提供する。
【課題を解決するための手段】
【０００７】
前記目標に応じて、パルプ成形容器構造は、中央部及び周縁部を含み、前記周縁部は前記中央部を囲み、前記パルプ成形容器構造と連続した外部容器の上壁縁を収容して、且つ前記外部容器の前記壁縁を挟み込む。
【０００８】
更に、前記周縁部は、スナップフィット部を含み、前記スナップフィット部は、前記外部容器の前記上壁縁に下向き連続して、前記中央部及び前記周縁部と一体成形して、且つ更に前記周縁部が前記外部容器の前記上壁縁を挟み込むときに、前記パルプ成形容器構造及び前記外部容器の丈夫な結合のために、前記外部容器を囲んでいる突起と連続した。
【０００９】
前記パルプ成形容器構造を製造するために、本実施形態は、パルプ成形容器構造の成形装置を提供しており、前記成形装置は第１容器成形金型及び第２容器成形金型を備えて、そのうち、前記第１容器成形金型は、前記パルプ成形容器構造の相応の中央部の成形用の中央成形部、及び前記パルプ成形容器構造の相応の周縁部の成形用の周縁成形部を有する第１成形ユニットを含み、前記周縁成形部は、前記周縁成形部外辺縁から凹入して且つパルプ成形容器構造の負角度スナップフィット部の成形用の前記中央成形部から遠く離れる一側に位置するスナップフィット成形部を含み、前記第２容器成形金型は、前記パルプ成形容器構造の相応の外部輪郭の成形用の第２成形ユニットを含む。
【００１０】
前記パルプ成形容器構造を製造するために、本実施形態は、更に、パルプ成形容器構造の成形方法を提供しており、前記方法では、第１容器パルプ吸引及び成形金型をパルプスラリーに浸入して、且つ前記パルプスラリー を排水して押出することにより原容器を成形すること、次に、前記原容器を第１容器加熱及び成形金型まで移動して、且つ前記第１容器加熱及び成形金型と前記第２容器加熱及び成形金型との間に前記原容器を加熱して密封することで、前記パルプ成形容器構造を成形する。
【００１１】
上述したように、パルプ基熱押し出成形ステップにおいて、前記弾力性のパルプ成形容器構造は、前記スナップフィット部を特徴付けており、前記スナップフィットは、離型手順においてスナップフィット成形部から外れるためにやや変形して、且つその輪郭の特徴が前記スナップフィット成形部の輪郭と類似している。すると、前記スナップフィット部は、外部容器のカップ周縁から押し出された突起と連続して、前記周縁は、製品製造の標準に応じて前記パルプ成形容器構造で前記スナップフィット部に連続している。
【図面の簡単な説明】
【００１２】
【図１】コーヒー用の容器構造のパルプ成形の断面図。
【図２】パルプ成形容器構造及び外部容器を一緒に示した断面図である。
【図３】パルプ成形容器構造の成形装置における第２容器成形金型を示した概略図である。
【図４】パルプ成形容器構造の成形装置における第１容器成形金型を示した概略図である。
【図５】離れている状態でのパルプ成形容器構造における成形装置を示した断面図である。
【図６】パルプ成形容器構造用の容器パルプ吸収及び成形装置を示した断面図である。
【図７Ａ】離型手順におけるパルプ成形容器構造の成形装置を示した第１概略図である。
【図７Ｂ】離型手順におけるパルプ成形容器構造の成形装置を示した第２概略図である。
【図７Ｃ】離型手順におけるパルプ成形容器構造の成形装置を示した第３概略図である。
【図８】パルプ成形容器構造の成形装置を使用した製造手順における工程のフローチャットである。
【図９】もう一つの実施形態におけるパルプ成形容器構造用の容器パルプ吸収及び成形装置の概略図である。
【図１０】もう一つの実施形態における成形手順におけるパルプ成形容器構造の成形装置を示した概略図である。
【図１１】パルプ成形した椀容器構造の断面図である；及び
【図１２】箱容器構造のパルプ成形の断面図；
【考案を実施するための形態】
【００１３】
本実施形態におけるパルプ成形容器及びその成形装置の特徴、内容、利点、及び効果は、実施形態及び図面に詳細に説明されており、ただし前記図面は単に概略図として本願明細書を釈明するものであるが、本願請求の範囲に何か限定を及ぼそうとするものではない。
【００１４】
図１を参照して、前記図１はパルプ成形容器構造１の断面図であって、該構造１は中央部１０及び周縁部１２を含み、前記周縁部１２は前記中央部１０を囲んでいて、且つ逆U字形状輪郭だけでなく、更に、前記中央部１０の側壁から遠く離れていて且つ負角度で内向き突出した前記周縁部１２の内表面で環状スナップフィット部１４を形成するための側壁及び頂縁部を含む。
【００１５】
図２を参照して、前記図２は前記パルプ成形容器構造１を示しており、前記パルプ成形容器構造１は、望ましくは前記周縁部１２によって外部容器３と容易に連続して結合することができ、前記外部容器３の外壁の上縁全体を挟み込むことができる。図２の示すように、前記スナップフィット部１４は、前記外部容器３の外壁の上縁から外向き高くされたまたは巻かれた突起３００に当接して接触し、故に前記パルプ成形容器構造１と前記外部容器３とのよりよい結合に寄与する。明らかに、前記周縁部１２でも前記スナップフィット部１４でも、ともに製品製造の標準の必要とした前記パルプ成形容器構造１及び前記外部容器３を固定するように設計されたものである。
【００１６】
日常生活でコーヒーを収容した一般的な紙カップのパルプ成形容器構造として、図１における前記パルプ成形容器構造１は、実施形態において、前記縁から上がっている凸部位や中央部１０の中央での凹部位を有する円形の中央部１０を備えて、前記中央部１０は開口を有して、前記開口から飲み物を引き出して、しかも、飲み物を充填した容器における圧力のバランスのために、ミシン目は前記凹部位に刳り貫かれた。しかしながら、繰り返して強調したいのは、前記開口又は前記ミシン目はここでのパルプ成形容器構造の主な技術的特徴ではない。
【００１７】
図３ないし５を参照して、前記図はパルプ成形容器構造の成形装置を示しており、前記成形装置は、第１容器成形金型２２及び第２容器成形金型２０を備える。前記第１容器成形金型２２は、中央成形部２２０１及び周縁成形部２２０２を備える第１成形ユニット２２０を有して、前記中央成形部２２０１及び前記周縁成形部２２０２は、それぞれ前記パルプ成形容器構造１の前記中央部１０の内輪郭の成形、及び前記パルプ成形容器構造１の前記周縁部１２内輪郭の成形に適用される。更に、前記第１容器成形金型２２は、スナップフィット成形部２２０３を含み、前記スナップフィット成形部２２０３は、前記周縁部１２の成形用の前記周縁成形部２２０２に設置されており、且つ前記中央部１０から遠く離れている一つ側で、且つ前記パルプ成形容器構造１の前記スナップフィット部１４の形成に適用されており、前記第２容器成形金型２０は第２成形ユニット２００を含み、前記第２成形ユニット２００は、一つ側で設置され且つ前記パルプ成形容器構造１の外輪郭の成形に適用されて、前記周縁部１２は、前記パルプ成形容器構造１に結合した前記外部容器３の外壁を挟み込むことに適用された。
【００１８】
図６を参照して、当該図は、濾過器２２６を示しており、当該濾過器２２６は、前記第１容器成形金型２２の前記第１成形ユニット２２０に据え付けられて、且つ複数の細孔チャンネル２２０４は、実際の手順にて使用される第１容器パルプ吸引及び成形金型を設置するために、均一に前記第１容器成形金型２２に分布した。パルプ成形容器構造の実施形態において、前記細孔チャンネル２２０４毎は、前記第１成形ユニット２２０の前記周縁成形部２２０２の外辺縁に、前記中央成形部２２０１と前記周縁成形部２２０２との間に、及び前記中央成形部２２０１の前記最上端部で開口された。すると、降下してパルプタンクに入った濾過器２２６なので、紙パルプは第１容器パルプ吸引及び成形金型２２Ａに降下することになって、そのため、パルプ繊維が濾過器２２６を越えることもなくなって、且つ細孔チャンネル２２０４を通じて外部空気を吸入して、当該細孔チャンネル２２０４毎は、パルプ繊維を吸収するように吸引を提供し（望ましくは、前記パルプ成形容器構造１は５％ないし５５％のフィラメント及び４５％ないし６５％のスパンからなっている）、何か細孔チャンネル２２０４の詰め込みを引き起こさないで過剰な水を排水して、且つ前記第１容器パルプ吸引及び成形金型２２Ａの内部で原パルプ成形容器構造１を成形する。更に、第２容器パルプ吸引及び成形金型２０Ａの設置のために、複数の細孔チャンネル２０２１は前記第２容器成形金型２０の前記第２成形ユニット２００で開口される。当該実施形態において、前記細孔チャンネル２０２１毎は、更に前記第２成形ユニット２００の外辺縁で開口されて、且つ前記第１成形ユニット２２０の前記中央成形部２２０１及び前記周縁成形部２２０２に対向している。すると、前記第２容器パルプ吸引及び成形金型２０Ａ及び前記第１容器パルプ吸引及び成形金型２２Ａ同士は結合し合うことになり、外向き吸入された空気に起因した吸引を前記細孔チャンネル２０２１に提供して、当該細孔チャンネル２０２１を通じて、原パルプ成形容器構造は、前記第１容器パルプ吸引及び成形金型２２Ａから、前記第２容器パルプ吸引及び成形金型２０Ａに吸収されることになる。
【００１９】
更に、加熱ロッド及び熱電対を置くするために前記第１容器成形金型２２は掘り出される、或いは前記第１容器成形金型２２は熱伝導材料で製造され且つ実施形態において加熱プレートに安定に据え付けられる場合、第１容器加熱及び成形金型は、直接に又は熱伝導を介して加熱されることにより、前記第１成形ユニット２２０内部の温度を向上させて且つ紙パルプを乾燥するように、設置されて、一方では、加熱ロッド及び熱電対を置くするために前記第２容器成形金型２２は掘り出される、或いは前記第２容器成形金型２０は熱伝導材料で製造され且つもう一つの加熱プレートに安定に据え付けられる場合、第２容器加熱及び成形金型は、直接に又は熱伝導を介して加熱されることにより、前記第２成形ユニット２００内部の温度を向上させて且つ紙パルプを乾燥するように、設置される。しかも、第２容器加熱及び成形金型は、複数の細孔チャンネル２０２１を含み、この細孔チャンネル２０２１を通じて前記乾燥されたパルプ成形容器構造１は吸収された。繰り返して強調したいのは、前記第１容器成形金型２２における前記第１成形ユニット２２０であれ、前記第２容器成形金型２０における前記第２成形ユニット２００であれ、どちら一方でも、内部で濾過器２２６を備えない。
【００２０】
しかし、若し前記第１容器成形金型２２及び前記第２容器成形金型２０は、可塑性容器製造手順に適用されれば、細孔チャンネル（２０２１、２２０４）なので、前記第１及び第２容器成形金型（２０、２２）での前記細孔チャンネル、及び前記濾過器２２６は必要ではなくなり、前記細孔チャンネル（２０２１、２２０４）は、外部空気が吸入された場合に吸収を提供してパルプ繊維を吸引するように設置され、パルプ繊維を隔離することによりパルプ繊維が前記濾過器２２６を越えることはなくなるように、前記濾過器２２６は据え付けられる。上記場合のように、可塑性容器には繊維がないので、前記濾過器２２６での隔離又は細孔チャンネル（２０２１、２２０４）による吸収は、なくなり、故に、前記第１容器成形金型２２及び前記第２容器成形金型２０Ｃは、前記可塑性容器製造手順に利用されることは不可能となる。
【００２１】
図７Ａ、７Ｂ及び７Ｃを参照して、当該図は離型手順におけるパルプ成形容器構造の成形装置を示した概略図である。パルプ成形容器構造は、前記相応の第２容器パルプ吸引及び成形金型２０Ａにより吸収され、且つ概略一部拡大図の示すように、連続的手順において、前記第１容器パルプ吸引及び成形金型２２Ａを始点として移動され、当該拡大図は、前記第１容器成形金型２２又は前記第１容器パルプ吸引及び成形金型２２Ａの縁でのスナップフィット成形部２２０３と前記パルプ成形容器構造１との関係を示した。
【００２２】
図７Ａを参照して、前記図には、第２容器パルプ吸引及び成形金型は表示されなかった。図７Ａは、離型手順の直前の状態を示しており、当該状態では、パルプ成形プロセスで成形された原パルプ成形容器構造１は、濾過器２２６によって第１容器成形金型２２の縁で、スナップフィット成形部２２０３の輪郭と安定に付着して、且つその輪郭と合わせることになって、且つ前記パルプ成形容器構造１の前記スナップフィット部１４は、完璧に前記濾過器 ２２６に収まる。
【００２３】
図７Ｂを参照して、当該図は、パルプ成形プロセスに成形された原パルプ成形容器構造１を示しており、前記原パルプ成形容器構造１は第２容器パルプ吸引及び成形金型２０Ａに吸収されて、段々第１容器パルプ吸引及び成形金型２２Ａにおける第１容器成形金型２２及び前記添付された濾過器２２６から分離する。図７Ｂの示すように、伸長可能な紙で製造され且つやや伸長された、前記パルプ成形容器構造１の前記スナップフィット部１４は、スナップフィット成形部２２０３から移動されたが、依然として当該スナップフィット成形部２２０３に詰め込まれて、且つ金型同士を互いに分離させる離型手順において、上向き少し変形することになる。
【００２４】
図７Ｃを参照して、当該図は、パルプ成形プロセスに成形された原パルプ成形容器構造１を示しており、前記原パルプ成形容器構造１は、前記第２容器パルプ吸引及び成形金型２０Ａに吸収されて、前記第１容器成形金型 ２２及び前記添付された濾過器２２６と完璧に分離することになる。図７Ｃの示すように、前記パルプ成形容器構造１の伸長可能な紙スナップフィット部１４は、前記第１容器パルプ吸引及び成形金型２２Ａと完璧に分離して且つ一部で変形して、少し再構成されてできる限りに前記スナップフィット成形部 ２２０３の前記輪郭と全体配合しているが、詰め込まれて変形した或いは切り捨てられた様々な部分は、その一部が残されることも可能であって、ただし、前記スナップフィット部１４と外部容器３凸部位とのよりよい締め付け強度のために、製造手順は校正されて、この残された部分はパルプ成形容器構造に悪い影響を及ぼさない。 
【００２５】
図８を参照して、前記図は、パルプ成形容器構造の成形装置を使用してパルプ成形容器構造を成形する製造手順のフローチャットを示した。前記製造方法は、下記のステップを有する。
【００２６】
ステップＳ８０１では、前記第１容器パルプ吸引及び成形金型はパルプスラリーに浸入されたときに、前記第１成形ユニットはパルプスラリー に覆われた。
【００２７】
ステップＳ８０２では、前記第１容器パルプ吸引及び成形金型は、パルプスラリーから移動されて、且つ過剰な水は、前記細孔チャンネル及び前記濾過器から排水されて、この過剰な水は第１成形ユニットに沈降されたパルプスラリーに包含されて、且つ製造手順に利用されなかった。
【００２８】
ステップＳ８０３では、前記第２容器パルプ吸引及び成形金型を作動して、前記第１容器パルプ吸引及び成形金型に組み入れて、すると、得ようとするパルプ成形容器構造の輪郭と類似する輪郭を特徴付ける原容器は、第１成形ユニットの上の濾過器に付着して且つそれと配合して除水された紙パルプで、成形された。
【００２９】
ステップＳ８０４では、離型手順において、前記第１容器パルプ吸引及び成形金型から分離するように、前記原容器は前記細孔チャンネルを通じて、第２容器パルプ吸引及び成形金型に吸収された。
【００３０】
ステップＳ８０５では、前記原容器は、前記第２容器パルプ吸引及び成形金型と結合した前記第１容器加熱及び成形金型に収容された。
【００３１】
ステップＳ８０６では、前記第１と第２容器加熱及び成形金型との間に前記原容器を完全に密封するために、前記第２容器加熱及び成形金型を作動して、前記第１容器加熱及び成形金型に全部に組み入れる。
【００３２】
ステップＳ８０７では、前記原容器は、前記第１容器加熱及び成形金型及び前記第２容器加熱及び成形金型によって加熱され且つ乾燥されて、且つパルプ成形容器構造の成形のために完全に除水された。
【００３３】
ステップＳ８０８では、分離のために、前記パルプ成形容器構造は前記第２容器加熱及び成形金型によって吸収された。
【００３４】
ステップＳ８０１からステップＳ８０８にかけての製造手順によれば、パルプ成形容器構造は成形された。特に、密度が５００ｋｇ/ｍ３ないし７００ｋｇ/ｍ３、厚さが０.５ｍｍないし１.２ｍｍのパルプ成形容器構造を成形した.
【００３５】
上述した実施形態と異なって選択できる製造手順は、本実施形態において引き入れた。前記選択できな実施形態において、前記容器パルプ吸収及び成形金型（容器加熱及び成形金型でも同様）における第１成形ユニット（第２成形ユニット）の輪郭は、第２成形ユニット（第１成形ユニット）の輪郭になるように変更された。パルプ成形容器構造の外輪郭を形成する成形ユニットは、まずパルプスラリーに浸入され、且つ作動されて、パルプ成形容器構造の上のスナップフィット部の内輪郭を形成することに適用するもう一つの成形ユニットに収まる場合に、逆転箇所での二つの金型によって、同じ輪郭を特徴つけるパルプ成形容器構造は製造された。
【００３６】
図９及び１０を参照して、前記図は前記第１容器成形金型２２及び前記第２容器成形金型２０のもう一つの実施形態を示しており、前記図９の示すように、前記第１容器成形金型２２及び前記第２容器成形金型２０は、相対位置に設置されることができる（第１容器成形金型２２が上側に、且つ前記第２容器成形金型２０が底側に設置されることを意味する）。
【００３７】
前記第２容器成形金型２０をパルプスラリーに浸入した後で、前記第２成形ユニット２００はパルプスラリーに覆われて、且つ前記第２容器成形金型２０の上の前記細孔チャンネル２０２１及び前記濾過器によって前記パルプスラリーを排水して、前記第１容器成形金型２２を作動して前記第２容器成形金型２０に収まることにより、除水された紙パルプで、得ようとするパルプ成形容器構造を形成して、且つ前記第１容器成形金型２２により前記原容器を吸収して、離型手順及び加熱手順などを行う。すると、前記パルプ成形容器構造１及び前記スナップフィット部１４は、離型前の手順によって形成されることもできる。
【００３８】
図１１及び１２を参照して、前記図はパルプ成形容器構造１のもう一つの実施形態を示した断面図であって、前記図１と一緒に参照して下さい。選択可能な実施形態において、本実施形態の前記パルプ成形容器構造１は、更に椀容器、箱容器、或いは類似する種類の何れの道具に適用できる。
【００３９】
実施形態（即ち、椀容器）の一つにおいて、椀３の周辺の上の突起３００と結合するように、スナップフィット部１４は前記椀容器１の環状周縁部１２の内表面に形成される。
【００４０】
もう一つの実施形態（例えば、箱容器）は、上述したような椀容器実施形態と類似して、箱３の周辺の上の突起３００と結合するように、スナップフィット部１４も、前記箱容器１の前記環状周縁部１２の内表面の上に形成できる。
【００４１】
故に、本実施形態におけるパルプ成形容器構造１は、様々な容器に適用でき、単に上述したような実施形態に適用可能なものではない。
【００４２】
要するに、本実施形態に係わるパルプ成形容器構造及びその成形装置は、スナップフィット部の金型成形にとって一旦使用されると長期に亘って利益をもたらすことができ、従来の成形容器に比べて、技術的思想の点で言えば新規で、しかも複数の技術的効果を齎して、実用新案権にとって必要な新規性及び非自明性との要件を満たす。
【符号の説明】
【００４３】
1      パルプ成形容器構造１
10     中央部
12     周縁部
14     スナップフィット部
20     第２容器成形金型
20A    第２容器パルプ吸引及び成形金型
200    第２成形ユニット
2021   細孔チャンネル
22     第１容器成形金型
22A    第１容器パルプ吸引及び成形金型
220    第１成形ユニット
2201   中央成形部
2202   周縁成形部
2203   スナップフィット成形部
2204   細孔チャンネル
226    濾過器
300    突起
3      外部容器
【図１】
0003224743.tif 000003
【図２】
0003224743.tif 000004
【図３】
0003224743.tif 000005
【図４】
0003224743.tif 000006
【図５】
0003224743.tif 000007
【図６】
0003224743.tif 000008
【図７Ａ】
0003224743.tif 000009
【図７Ｂ】
0003224743.tif 000010
【図７Ｃ】
0003224743.tif 000011
【図８】
0003224743.tif 000012
【図９】
0003224743.tif 000013
【図１０】
0003224743.tif 000014
【図１１】
0003224743.tif 000015
【図１２】
0003224743.tif 000016